(57)【特許請求の範囲】
【請求項１】
隣接して配置された複数のシートと、この複数のシート夫々に設けられた音源の低域成分を再生する低音再生用スピーカおよび前記音源の高域成分を再生するシートの上部に配置された高音再生用スピーカからなり、少なくとも前記夫々の低音再生用スピーカは前記夫々のシートの受聴点近傍に配置され、前記夫々の高音再生用スピーカは前記夫々のシートの前記受聴点へ垂直方向に再生音を放射するように指向性を制御されるとともに、それぞれ隣接した前記シートの低音再生用スピーカ間のクロストーク音を低減する音場補正が施されていることを特徴とするシートオーディオ装置。
【請求項２】
高音再生用スピーカはリフレクタホーンを備えてシートの上方に配置され、受聴点上方から再生音を放射する請求項１記載のシートオーディオ装置。
【請求項３】
高音再生用スピーカがモノラル再生である請求項２記載のシートオーディオ装置。
【請求項４】
シートは脚部と背もたれ部を備え、高音再生用スピーカは脚部と接合固定し、前記背もたれ部のリクライニングの動作により、動くことのない構成とした請求項２または３記載のシートオーディオ装置。
【請求項５】
高音再生用スピーカは受聴点の下方に配置され、前記受聴点の上方でシートに吸音部を配置した請求項１記載のシートオーディオ装置。
【発明の詳細な説明】
【０００１】
【発明の属する技術分野】
本発明は音楽等を再生するシートオーディオ装置に関するもので、特に隣接するシート間のクロストーク音を制御したシートオーディオ装置に関するものである。
【０００２】
【従来の技術】
近年、電車や航空機等においてシート埋め込み型のスピーカによる音楽等の提供が行われ、音場制御技術の進展に伴い隣接するシート間のクロストーク音を低減した高音質のシートオーディオ装置が要求されている。
【０００３】
以下図６、図７により従来のクロストーク音を制御した３座席のシートオーディオ装置について説明する。図６はシートオーディオ装置のシート部の斜視図、図７は同クロストーク音制御部の原理的なブロック図である。図中の１ａ〜１ｃはシート、２ａ〜２ｆはスピーカ、３ａ〜３ｆは音響レンズ、４ａ〜４ｄはマイクロホン、５ａ〜５ｃは音源、６ａ〜６ｄは適応フィルタ、７ａ〜７ｆは遅延器、８ａ〜８ｄは加算器、９ａ〜９ｆは増幅器である。
【０００４】
スピーカ２ａ〜２ｆはそれぞれシート１ａ〜１ｃの受聴点の高さで左右対称に、スピーカ２ａ〜２ｆの開口面とシート１ａ〜１ｃの背もたれ部の面とがほぼ一致するように受聴点近傍に配置される。音源５ａのステレオ信号は適応フィルタ６ａ，６ｂと遅延器７ａ，７ｂに入力され、同時に音源５ｂのＲチャンネル信号は適応フィルタ６ｃと遅延器７ｃに入力され、音源５ｃのＬチャンネル信号は、適応フィルタ６ｄと遅延器７ｄに入力される。適応フィルタ６ｃの出力信号と遅延器７ａの出力信号は加算器８ａにおいて加算され、同時に適応フィルタ６ｄの出力信号と遅延器７ｂの出力信号は加算器８ｂにおいて加算される。
【０００５】
加算器８ａの出力は増幅器９ａにおいて増幅されスピーカ２ａにより再生され、加算器８ｂの出力は増幅器９ｂにおいて増幅されスピーカ２ｂにより再生される。また、適応フィルタ６ａと遅延器７ｃの出力は加算器８ｃで加算され、同時に適応フィルタ６ｂと遅延器７ｄの出力は加算器８ｄで加算される。加算器８ｃの出力は増幅器９ｃで増幅されてスピーカ２ｃにより再生され、加算器８ｄの出力は増幅器９ｅで増幅されてスピーカ２ｅにより再生される。
【０００６】
さらに、音源５ｂのＬチャンネルの出力は遅延器７ｅを経由し、増幅器９ｄで増幅されスピーカ２ｄにより再生され、音源５ｃのＲチャンネルの出力は遅延器７ｆを経由し、増幅器９ｆで増幅されスピーカ２ｆにより再生される。なお、遅延器７ｃ，７ｄは適応フィルタ６ｃ，６ｄにおける適応制御に要する時間を遅延させ、遅延器７ｅ，７ｆはステレオ信号の一方に遅延器７ｃ，７ｄが挿入されているため、これを補正するものである。
【０００７】
ところで、受聴者Ａにはスピーカ２ｃ，２ｅからの再生音は騒音、すなわちクロストーク音となるので、それぞれのクロストーク音をマイクロホン４ａ，４ｂで検出し、適応フィルタ６ｃはマイクロホン４ａの検出信号を小さくするように音源５ｂからの信号を適応制御して、スピーカ２ｃからマイクロホン４ａへのクロストーク音を低減する。同様に適応フィルタ６ｄはマイクロホン４ｂの検出信号を小さくするように音源５ｃからの信号を適応制御して、スピーカ２ｅからマイクロホン４ｂへのクロストーク音を低減する。
【０００８】
また、スピーカ２ａ〜２ｆには音響レンズ３ａ〜３ｆを、それぞれのシート１ａ〜１ｃの受聴点に高域成分の再生音を放射する向きに配置し、マイクロホン４ａ〜４ｄを高域成分が放射されない位置に配置することで、マイクロホン４ａ〜４ｄにより検出されるクロストーク音は低域成分のみとなる。すなわち、クロストーク音の低域成分は信号処理によって、高域成分は音響的な指向性を利用して制御される。
【０００９】
以上は受聴者Ａについて説明したが受聴者Ｂ，Ｃについても同様であり、受聴者Ｂ，Ｃにはそれぞれのスピーカ２ａ，２ｂからの再生音がクロストーク音となるので、それぞれのクロストーク音をマイクロホン４ｃ，４ｄで検出し、適応フィルタ６ａはマイクロホン４ｃの検出信号を小さくするように音源５ａからの信号を適応制御して、スピーカ２ａからマイクロホン４ｃへのクロストーク音を低減し、同様に適応フィルタ６ｂはマイクロホン４ｄの検出信号を小さくするように音源５ａからの信号を適応制御して、スピーカ２ｂからのマイクロホン４ｄへのクロストーク音を低減する。
【００１０】
【発明が解決しようとする課題】
上記構成のシートオーディオ装置において、クロストーク音を可聴周波数全帯域において信号処理により制御するならば、高域ほど技術的に制御が難しく、適応フィルタ６ａ〜６ｄは高い信号処理能力が必要となるためハードウェアが大型となり、コスト面においても高価なものとなる。したがって、適応フィルタ６ａ〜６ｄのハードウェアを小型化するために、信号処理によるクロストーク音制御の帯域を低域に限定し、高域は指向性が鋭くなる音響的な特性を利用することで、例えば上述したように音響レンズ３ａ〜３ｆによって放射音の範囲を受聴点側に仕向けて高域のクロストーク音を制御している。
【００１１】
また、図示したように各シート１ａ〜１ｃに２つの限られたスピーカ２ａ〜２ｆを有する装置でクロストーク音を低減する場合、制御範囲は受聴点近傍に限定され、受聴点近傍以外の範囲ではそれぞれのシート１ａ〜１ｄに設置されたスピーカ２ａ〜２ｆからの放射音が騒音となること、さらに、クロストーク音を信号処理によって制御するにはスピーカ２ａ〜２ｆから放射音は受聴点において反射音を含まない直接音である方が技術的に容易であり、信号処理部のハードウェアを小型化できることからスピーカ２ａ〜２ｆは音量を小さくし、スピーカ２ａ〜２ｆから受聴点間に障害物の存在しない位置、すなわちシート１ａ〜１ｃにおける左右の耳の近傍に配置される。
【００１２】
しかしながら、適応フィルタ６ａ〜６ｄによるクロストーク音制御はスピーカ２ａ〜２ｆから受聴点間の距離に大きく依存し、しかもスピーカ２ａ〜２ｆが受聴点近傍に配置されるため、頭部移動により受聴位置が変化すれば波長の短くなる高域ほどクロストーク音の低減効果が小さくなり、隣接したシート１ａ〜１ｃからのクロストーク音によって聞いている音が不自然になってしまう。
【００１３】
さらに、高域を指向性を利用して放射音の範囲を限定して受聴点に水平方向へ再生音を放射しても、受聴者から少しでも離れた領域に放射された音が受聴者以外には高域であるため耳障りな騒音となるという課題を有していた。
【００１４】
本発明は頭部移動に対しクロストーク音の発生が小さい低騒音のシートオーディオ装置を提供することを目的とするものである。
【００１５】
【課題を解決するための手段】
本発明のシートオーディオ装置は上記課題を解決するために、隣接して配置された複数のシートと、この複数のシート夫々に設けられた音源の低域成分を再生する低音再生用スピーカおよび前記音源の高域成分を再生するシート上部に配置された高音再生用スピーカで形成されるものであって、少なくとも前記夫々の低音再生用スピーカは前記夫々のシートの受聴点近傍に配置され、前記夫々の高音再生用スピーカは前記夫々のシートの前記受聴点へ垂直方向に再生音を放射するように指向性を制御すると共に、それぞれ隣接した前記シートの低音再生用スピーカ間のクロストーク音を低減する音場補正を施したものであり、高音再生用スピーカの指向性を制御して受聴点へ垂直方向に放射音を再生するため、高音再生用スピーカが放射する高音は水平方向に広がらず、隣接の受聴者には直接届かなくなって高音再生用スピーカのクロストーク音の発生を抑えられるだけでなく、低音用スピーカのクロストーク音も併せて低減する音場補正を施したので、低音用スピーカのクロストーク音の発生も抑えられ、シート外部への騒音が小さくなるものである。
【００１６】
【発明の実施の形態】
本発明の請求項１記載の発明は、隣接して配置された複数のシートと、この複数のシート夫々に設けられた音源の低域成分を再生する低音再生用スピーカおよび前記音源の高域成分を再生するシート上部に配置された高音再生用スピーカからなり、少なくとも前記夫々の低音再生用スピーカは前記夫々のシートの受聴点近傍に配置され、前記夫々の高音再生用スピーカは前記夫々のシートの受聴点へ垂直方向に再生音を放射するように指向性を制御するとともに、それぞれ隣接した前記シートの低音再生用スピーカ間のクロストーク音を低減する音場補正を施したものとしたため、高音再生用スピーカが放射する高音は水平方向に広がらず、隣接する受聴者には直接届かなくなって高音用スピーカのクロストーク音の発生が抑えられ、更に低音用スピーカのクロストーク音も併せて低減できて、シートの外部への騒音をも小さくできるものである。
【００１８】
請求項２に記載の発明は、請求項１記載の高音再生用スピーカにリフレクタホーンを備えてシートの上方に配置し、受聴点上方から再生音を放射するものであり、リフレクタホーンによってクロストーク音の発生を抑制するものである。
【００１９】
請求項３に記載の発明は、請求項２の構成に加えて、高音再生用スピーカをモノラル再生としたものであり、ＬＲチャンネルの信号差による高域の音質変化がないものである。
【００２０】
請求項４に記載の発明は、請求項２または請求項３記載のものにあって、高音再生用スピーカであるリフレクタホーンを脚部と接合固定し、高音再生用スピーカの位置をシートの背もたれ部の動きに依存しない脚部に固定された構成としたものであり、シートの背もたれ部をリクライニングとしても高域の再生音のクロストーク音および外部への音漏れが変化せず、また前記移動に伴うリフレクタホーンの空間的余裕の確保および重量バランスの変化による転倒を考慮する必要がないものである。
【００２１】
請求項５に記載の発明は、請求項１記載のものにおいて高音再生用スピーカを受聴点の下方に配置し、前記受聴点の上方でシートに吸音部を配置したものであり、受聴点を外れた領域に放射された再生音は吸音部で吸音され、シート外への漏れ音を抑制できるものである。
【００２２】
以下、本発明のシートオーディオ装置の一実施の形態について図１〜図５により説明する。
【００２３】
（実施の形態１）
図１は本発明のシートオーディオ装置の一実施の形態の要部であるシート部の外観斜視図であり、図２は要部であるクロストーク音制御部のブロック図である。
【００２４】
図中の１０ａ〜１０ｃはシート、１１ａ〜１１ｆは低音再生用スピーカ、１２ａ〜１２ｆは高音再生用スピーカ、１３ａ〜１３ｆは音響レンズ、１４ａ〜１４ｄはマイクロホン、１５ａ〜１５ｃは音源、１６ａ〜１６ｆはローパスフィルタ、１７ａ〜１７ｆはハイパスフィルタ、１８ａ〜１８ｄは適応フィルタ、１９ａ〜１９ｌは遅延器、２０ａ〜２０ｄは加算器、２１ａ〜２１ｌは増幅器である。
【００２５】
上記構成において動作を説明する。低音再生用スピーカ１１ａ〜１１ｆはそれぞれシート１０ａ〜１０ｃの受聴点の高さで左右対称に、低音再生用スピーカ１１ａ〜１１ｆの開口面とシート１０ａ〜１０ｃの背もたれ部の面とがほぼ一致するように受聴点近傍に配置され、高音再生用スピーカ１２ａ〜１２ｆは前面に音響レンズ１３ａ〜１３ｆが配置され、受聴点に垂直方向に再生音を放射するようシート１０ａ〜１０ｃの上部に配置される。
【００２６】
帯域分割された低域の信号経路は従来例と全く同様である。すなわち、音源１５ａのステレオ信号はローパスフィルタ１６ａ，１６ｂを経由して適応フィルタ１８ａ，１８ｂと遅延器１９ａ，１９ｂに入力される。同時に音源１５ｂのＲチャンネルの出力はローパスフィルタ１６ｃを経由して適応フィルタ１８ｃと遅延器１９ｅに入力され、音源１５ｃのＬチャンネルの出力はローパスフィルタ１６ｅに入力され、適応フィルタ１８ｄと遅延器１９ｉに入力される。
【００２７】
適応フィルタ１８ｃの出力信号と遅延器１９ａの出力信号は加算器２０ａにおいて加算され、同時に適応フィルタ１８ｄの出力信号と遅延器１９ｂの出力信号は加算器２０ｂにおいて加算される。加算器２０ａの出力は増幅器２１ａにおいて増幅され低音再生用スピーカ１１ａにより再生され、同時に加算器２０ｂの出力は増幅器２１ｂにおいて増幅され低音再生用スピーカ１１ｂにより再生される。また、適応フィルタ１８ａと遅延器１９ｅの出力は加算器２０ｃで加算され、同時に適応フィルタ１８ｂと遅延器１９ｉの出力は加算器２０ｄで加算される。加算器２０ｃの出力は増幅器２１ｅで増幅されて低音再生用スピーカ１１ｃにより再生され、加算器２０ｄの出力は増幅器２１ｉで増幅されて低音再生用スピーカ１１ｅにより再生される。
【００２８】
さらに、音源１５ｂのＬチャンネルの出力はローパスフィルタ１６ｄと遅延器１９ｆを経由し、増幅器２１ｆで増幅され低音再生用スピーカ１１ｄにより再生され、音源１５ｃのＲチャンネルの出力はローパスフィルタ１６ｆと遅延器１９ｊを経由し、増幅器２１ｊで増幅され低音再生用スピーカ１１ｆにより再生される。なお、遅延器１９ｅ，１９ｉは適応フィルタ１８ｃ，１８ｄにおける適応制御に要する時間を遅延させ、遅延器１９ｆ，１９ｊはステレオ信号の一方に遅延器１９ｅ，１９ｉが挿入されているため、これを補正するものである。
【００２９】
ところで、受聴者Ａには低音再生用スピーカ１１ｃ，１１ｅからの再生音は騒音、すなわちクロストーク音となる。それぞれのクロストーク音をマイクロホン１４ａ，１４ｂで検出する。適応フィルタ１８ｃはマイクロホン１４ａの検出信号を小さくするように音源１５ｂからの信号を適応制御して低音再生用スピーカ１１ｃからマイクロホン１４ａへのクロストーク音を低減する。同様に、適応フィルタ１８ｄはマイクロホン１４ｂの検出信号を小さくするように音源１５ｃからの信号を適応制御して低音再生用スピーカ１１ｅからマイクロホン１４ｂへのクロストーク音を低減する。
【００３０】
以上は受聴者Ａについて説明したが受聴者Ｂ，Ｃについても同様である。受聴者Ｂ，Ｃにはそれぞれの低音再生用スピーカ１１ａ，１１ｂからの再生音がクロストーク音となる。それぞれのクロストーク音をマイクロホン１４ｃ，１４ｄで検出する。適応フィルタ１８ａはマイクロホン１４ｃの検出信号を小さくするように音源１５ａからの信号を適応制御して、低音再生用スピーカ１１ａからマイクロホン１４ｃへのクロストーク音を低減する。同様に適応フィルタ１８ｂはマイクロホン１４ｄの検出信号を小さくするように音源１５ａからの信号を適応制御して、低音再生用スピーカ１１ｂからマイクロホン１４ｄへのクロストーク音を低減する。
【００３１】
一方、帯域分割された高域の信号経路は従来例と異なり、音源１５ａのステレオ信号はハイパスフィルタ１７ａ，１７ｂにも入力され、ハイパスフィルタ１７ａ，１７ｂの出力は分割された高域の信号の時間補正のため遅延器１９ｃ，１９ｄを経由し、増幅器２１ｃ，２１ｄにおいて増幅され高音再生用スピーカ１２ａ，１２ｂにより再生される。また、音源１５ｂの出力はハイパスフィルタ１７ｃ，１７ｄにも入力され、それぞれ遅延器１９ｇ，１９ｈを経由して増幅器２１ｇ，２１ｈで増幅され、高音再生用スピーカ１２ｃ，１２ｄにより再生される。同様に音源１５ｃの出力はハイパスフィルタ１７ｅ，１７ｆにも入力され、それぞれ遅延器１９ｋ，１９ｌを経由して増幅器２１ｋ，２１ｌで増幅され、高音再生用スピーカ１２ｅ，１２ｆにより再生される。
【００３２】
なお、遅延器１９ｇ，１９ｈ，１９ｋ，１９ｌは低域側のステレオ信号の一方に挿入された適応フィルタ１８ｃ，１８ｄに要する時間補正のために挿入してある。
【００３３】
ところで、受聴者Ａには高音再生用スピーカ１２ｃ，１２ｅからの再生音はクロストーク音となるが、音響レンズ１３ｃ，１３ｅによって指向性が制御され、受聴点に垂直方向に高音が放射されるため、高音再生用スピーカ１２ｃ，１２ｅからのクロストーク音を低減することができる。受聴者Ｂ，Ｃについても同様である。受聴者Ｂ，Ｃにはそれぞれ高音再生用スピーカ１２ａ，１２ｂからの再生音はクロストーク音となるが、音響レンズ１３ａ，１３ｂに設けた音響レンズにより高音再生用スピーカ１２ａ，１２ｂの再生音は受聴者Ａに垂直方向に放射されるため、高音再生用スピーカ１２ａ，１２ｂからのクロストーク音を低減できる。
【００３４】
よって、従来例と同様に低域はクロストーク音を信号処理によって低減し、高域は受聴点へ垂直方向に放射音を再生して水平方向への音漏れを少なくすることでクロストーク音を信号処理によらず低減している。したがって、高音再生用スピーカ１２ａ〜１２ｆの放射音を垂直方向とし、受聴点からの距離をおいて高音再生用スピーカ１２ａ〜１２ｆを設置すれば、受聴点における放射領域が拡大し、頭部移動に対して高音再生用スピーカ１２ａ〜１２ｆと受聴点間の距離の変動が小さくなるため音質劣化が小さくなり、しかも、垂直方向に放射音を再生するため水平方向に漏れる耳障りな高音を低減したシートオーディオ装置とすることができる。
【００３５】
なお、本実施の形態では高音再生用スピーカ１２ａ〜１２ｆに音響レンズ１３ａ〜１３ｆを配置したが、ホーンを配置してもよく、高音再生用スピーカ１２ａ〜１２ｆの開口面の法線方向に受聴点が存在するなら音響レンズ１３ａ〜１３ｆを配置しなくてもよい。また、信号処理によるクロストーク音制御は実施の形態に限らずとも、低域再生音のみを制御するものであれば他の方式でもよい。
【００３６】
（実施の形態２）
図３は他の実施の形態の要部であるシート部の外観斜視図、図４は同要部であるクロストーク音制御部のブロック図である。
【００３７】
同図によると、２０ｅ〜２０ｇは加算器、２２ａ〜２２ｃはリフレクタホーンであり、実施の形態１と同一部分は同一番号を付している。実施の形態１と大きく異なるのは、音響レンズの代わりに概略半球殻形状をしたリフレクタホーン２２ａ〜２２ｃを高音再生用スピーカ１２ａ〜１２ｆに設け、各シート１０ａ〜１０ｃの上方に１つ配置して高域成分をモノラル再生していることである。
【００３８】
本実施の形態２の動作を以下に説明する。帯域分割された低域成分の信号経路および再生音の振る舞いは実施の形態１と全く同様であり、隣接するシート１０ａ〜１０ｃ間のクロストーク音を信号処理によって低減するものである。一方、帯域分割された高域成分の信号経路および再生音の振る舞いが実施の形態１と異なる。
【００３９】
すなわち、音源１５ａ〜１５ｃからのステレオ信号を加算器２０ｅ〜２０ｇによって加算してモノラル信号とし、ハイパスフィルタ１７ａ，１７ｃ，１７ｅを通過した後、低域成分のクロストーク音の低減に要する信号処理時間を遅延器１９ｃ，１９ｇ，１９ｋで遅延させ、増幅器２１ｃ，２１ｇ，２１ｋを経由してリフレクタホーン２２ａ〜２２ｃを具備した高音再生用スピーカ１２ａ，１２ｃ，１２ｅによりモノラル再生している。
【００４０】
ここで、リフレクタホーン２２ａ〜２２ｃの指向性制御範囲を実際的な頭部移動の範囲に設定すれば、頭部移動に対し高域のクロストーク音による音質劣化が少なく、モノラル再生であるため頭部移動時のＬＲチャンネルの信号差による高域の音質変化がない。また、本実施の形態２においても高域成分は上方から受聴点に垂直方向に放射され、リフレクタホーン２２ａ〜２２ｃによって再生音の放射範囲が限定されるため水平方向の音漏れが少なく、隣接するシート１０ａ〜１０ｃ間の高域のクロストーク音を低減したシートオーディオ装置とすることができる。
【００４１】
なお、本実施の形態２における高域信号成分の再生経路は一例に過ぎず、これに限るものではない。
【００４２】
また、上記実施の形態２においてはシート１０ａ〜１０ｃの脚部とリフレクタホーン２２ａ〜２２ｃを接合し、シート１０ａ〜１０ｃのリクライニングに対してリフレクタホーン２２ａ〜２２ｃとシート１０ａ〜１０ｃの脚部との位置関係を一定としている。
【００４３】
すなわち、シート１０ａ〜１０ｃの脚部とそれぞれリフレクタホーン２２ａ〜２２ｃを接合したことで、背もたれ部にリクライニング機能をもたせた場合に、リフレクタホーン２２ａ〜２２ｃの位置をそれぞれの脚部との関係が接合によって固定されて一定となり、背もたれ部がリクライニングにより回動（倒）しても、リフレクタホーン２２ａ〜２２ｃの位置が移動しないため、背もたれ部の移動（回動）に伴う高域の再生音のクロストーク音および外部への音漏れが変化しないようにしている。しかも、リフレクタホーン２２ａ〜２２ｃの移動（回動）に伴う空間的余裕の確保および重量バランスの変化による転倒を考慮する必要もない。
【００４４】
なお、本実施の形態２においてはリフレクタホーン２２ａ〜２２ｃを脚部と固定したが、例えば座部と固定して背もたれ部のリクライニング時の回動に伴ってリフレクタホーン２２ａ〜２２ｃが移動しない構造としてもよい。また、リフレクタホーン２２ａ〜２２ｃをシート１０ａ〜１０ｃと固定せず、シート１０ａ〜１０ｃ上方から吊り下げてもよい。
【００４５】
（実施の形態３）
図５は他の実施の形態の外観斜視図であり、同図によると２３ａ〜２３ｃはそれぞれシート１０ａ〜１０ｃの上方に設置された吸音部であり、実施の形態１と同一部分は同一番号を付している。実施の形態１と大きく異なるのは、高音再生用スピーカ１２ａ〜１２ｆが受聴点下部から受聴点へ垂直方向に再生音を放射するよう配置され、受聴点の上方に吸音部２３ａ〜２３ｃが設けられたことである。
【００４６】
本実施の形態３の動作を以下に説明する。帯域分割された低域成分の信号経路および再生音の振る舞いは実施の形態１と同様であり、隣接するシート１０ａ〜１０ｃ間のクロストーク音を低域成分は信号処理によって低減するものである。一方、高域成分の信号経路も実施の形態１と同じで音響的にクロストーク音を低減するものであるが、放射された再生音の振る舞いが異なる。すなわち、各シート１０ａ〜１０ｃの受聴点下方に配置された高音再生用スピーカ１２ａ〜１２ｆからの再生音は、音響レンズ１３ａ〜１３ｆによる指向性を制御され受聴点へ垂直上方に放射されるため水平方向への放射音が少なく、隣接するシート１０ａ〜１０ｃ間のクロストーク音を低減できる。
【００４７】
また、受聴点を外れた領域に放射された再生音は吸音部２３ａ〜２３ｃで吸音されるためシート１０ａ〜１０ｃ外部への漏れ音が小さくなり、騒音が低減されることになる。本実施の形態３においても実施の形態１と同様に高音再生用スピーカ１２ａ〜１２ｆと受聴点間の距離を設けて受聴点近傍の放射領域を実際的な頭部移動範囲とすることで、頭部移動に対し音質劣化の少ないシートオーディオ装置とすることができる。
【００４８】
なお、本実施の形態３においても実施の形態１と同様に音響レンズ１３ａ〜１３ｆを用いて指向性を制御したが、ホーンであってもよく、高音再生用スピーカ１２ａ〜１２ｆの開口面の法線方向に受聴点が存在するなら、音響レンズ１３ａ〜１３ｆ等を用いなくてもよい。
【００４９】
また、これまでの実施の形態３では隣接する３シート１０ａ〜１０ｃ間のクロストーク音の制御について言及してきたが、シート数はこれに限るものでない。さらに、低域成分のクロストーク音を低減する信号処理を行わずにシートを単独で用いてもよく、この場合には高域の漏れ音の小さい低騒音のシートオーディオ装置を実現できるものである。
【００５０】
【発明の効果】
以上のように本発明は、低音再生用スピーカをシートの受聴点近傍に配置し、高音再生用スピーカを受聴点へ垂直方向に再生音を放射するように配置し、隣接するシート間のクロストーク音を低域は信号処理によって、高域は音響的な指向性を利用することによって低減させるシートオーディオ装置を提供するものであり、高音再生用スピーカを受聴点のシート上部から垂直方向に再生音を放射するように配置したことで、高域の水平方向の受聴点近傍の放射領域を頭部移動範囲に拡大しても、水平方向の音漏れが少ないためシート外部への騒音および頭部移動時の音質劣化を低減することができるものである。
【図面の簡単な説明】
【図１】本発明の実施の形態１のシートオーディオ装置の要部であるシート部の外観斜視図
【図２】同要部であるクロストーク音制御部のブロック図
【図３】同他の実施の形態の要部であるシート部の外観斜視図
【図４】同要部であるクロストーク音制御部のブロック図
【図５】同他の実施の形態の要部であるシート部の外観斜視図
【図６】従来のシートオーディオ装置のシート部の外観斜視図
【図７】同要部であるクロストーク音制御部のブロック図
【符号の説明】
１０ａ〜１０ｃ  シート
１１ａ〜１１ｆ  低音再生用スピーカ
１２ａ〜１２ｆ  高音再生用スピーカ
１３ａ〜１３ｆ  音響レンズ
１４ａ〜１４ｄ  マイクロホン
１５ａ〜１５ｃ  音源
１６ａ〜１６ｆ  ローパスフィルタ
１７ａ〜１７ｆ  ハイパスフィルタ
１８ａ〜１８ｄ  適応フィルタ
１９ａ〜１９ｌ  遅延器
２０ａ〜２０ｄ  加算器
２１ａ〜２１ｌ  増幅器
２２ａ〜２２ｃ  リフレクタホーン
【図１】
0003831984.tif 000002
【図２】
0003831984.tif 000003
【図３】
0003831984.tif 000004
【図４】
0003831984.tif 000005
【図５】
0003831984.tif 000006
【図６】
0003831984.tif 000007
【図７】
0003831984.tif 000008